(57)【要約】      （修正有）【課題】臍帯を入れた容器を人形の内部に保管して、臍帯を安全に保管することができ、赤ちゃんの誕生記念品として大事にすることができる臍帯保管人形を提供する。【解決手段】頭部１０と、胴部２０と、下半身部３０及び保管容器４０からなり、頭部１０と胴部２０、胴部２０と下半身部３０が相互着脱可能に連結された臍帯保管人形１であって、保管容器４０は、内部に臍帯を収容した後、上部を蓋４１で塞いで保管するものであり、頭部１０は、実際の赤ちゃんの顔の様子と同一または類似するように、３Ｄプリンタで製作され、胴部２０は、上部空間２１が形成され、下半身部３０は、下部空間３１が形成されて、保管容器４０が上部空間２１と下部空間３１にわたって収容され、胴部２０と下半身部３０は、磁力によって着脱可能に連結されている。【選択図】図２
0003208738.tif 000002
【実用新案登録請求の範囲】
【請求項１】
頭部、胴部、下半身部、及び、保管容器からなり、前記頭部と前記胴部、前記胴部と前記下半身部が相互着脱可能に連結された臍帯保管人形であって、
前記保管容器は、アルコールに入れて浸漬させた臍帯を取り出し、内部に収容し、透明シリコン液を添加して硬化させた後、上部を蓋で塞いで保管したものであり、
前記頭部は、実際の赤ちゃんの顔の様子と同一または類似するように、３Ｄプリンタで製作され、下部に連結突起を備えて、前記胴部の上部に形成された連結溝に着脱可能に連結され、
前記胴部は、両腕が胸に付着された状態で構成されて、上部空間が形成され、
前記下半身部は、下部空間が形成され、前記保管容器が前記上部空間と下部空間にわたって収容され、
前記下半身部は、両足を曲げた状態で前方に向かって伸びたまま、座っている姿勢で構成されて、上部に上部磁石が形成され、下部に下部磁石が形成され、 前記胴部の下端部の枠に下部溝が形成され、前記下部溝に磁性体が挿入設置されて、前記下半身部の上部磁石と着脱可能に連結され、
前記胴部には、赤ちゃんの名前、誕生の情報、体の情報から選ばれるいずれか一つ以上が記載された名札が付いていることを特徴とする臍帯保管人形。
【考案の詳細な説明】
【技術分野】
【０００１】
本考案は、臍帯保管人形に関連する技術であって、更に具体的には、臍帯を入れた容器を人形の内部に保管して、臍帯を安全に保管することができ、赤ちゃんの誕生記念品として大事にすることができる臍帯保管人形及びそのセットに関することである。
【背景技術】
【０００２】
一般的に、臍帯（ｕｍｂｉｌｉｃａｌ ｃｏｒｄ）は、胎児のへそと母親の胎盤を連結する細長い帯状のものであり、胎児の胎内成長に必要な酸素と栄養を供給するための命の綱である。
【０００３】
臍帯は、へその緒の医学用語で、表面は平滑な膜で覆われており、中には、二本の臍動脈と一本の臍静脈があり、膠様質組織で保護される。臍静脈は、発育が速くて長さが長くなるので、臍静脈が臍動脈の周りを巻いて曲がりくねった形状を有している。
【０００４】
これらの臍帯は、赤ちゃんが生まれた後、一定期間が経過すると、赤ちゃんのへそから自然的に落ちるようになるが、１０ヶ月間、お母さんと赤ちゃんをつないでいた命の綱であるということから、特別な意味があるのである。
【０００５】
また、古くから、臍帯は幸運の印として、これを所有している場合、幸運が訪れるという話も伝えられており、一部の家庭では、臍帯をタンスの奥深くに保管し、難しいことを経験するときは、お守りのように身につけて持ち歩くこともあった。
【０００６】
このように、臍帯を保管するための従来技術として特許文献１には、臍帯を保管することができる印鑑であって、側面に穴が形成されており、一つの縦断面が開放されている円筒形の印鑑本体部と、印鑑本体部の内部に入れられ、臍帯を保管するための透明樹脂部と、一つの縦断面に名前が刻まれ、他の縦断面は印鑑本体部の開放された縦断面に挿入される印刻部材とを備え、印鑑本体部の側面の孔を通じて、樹脂部に保管された臍帯を外部から見えるようにしたことを特徴とする印鑑が開示されている。
【０００７】
また、特許文献２には、星形の外形の上部の蓋の表面に、簡略化された当該年度の１２地神と漢字を飾り、内部は、６室に区画され、内部の区画室に保管されている臍帯等の保護と観察のために、透明な素材の内部の蓋で構成され、内部の蓋のハンドルは、内部の蓋と同じ星形と素材により蓋の上端に付着され、底面には槿花のパターンを刻印した収納ケースが開示されている。
【０００８】
また、特許文献３には、第１表紙と第２表紙、及び第１表紙と第２表紙とを連結するための連結表紙から形成される表表紙と、表表紙の第１表紙の内面に付着され、内側に第１収容部と第２収容部及び第３収容部が、溝の形でそれぞれ凹んで形成される臍帯保管部と、臍帯保管部の第１収容部に収容される第１収容容器と、第２収容部に収容される第２収容容器と、表表紙の第２表紙の内面に付着され、内側にバインダーが備える記録保管部と、記録保管部の内側に備えたバインダーに連結されて、赤ちゃんの超音波写真を保存することができるアルバム裏紙と、記録保管部の内側に備えられたバインダーに連結されて、赤ちゃんの成長記録や子供が胎児であった時の様子を記録する日記とが含まれる臍帯保管用アルバムが開示されている。
【０００９】
しかし、上述した従来技術は、臍帯とは関係のない印鑑の用途に使用したり、単純に臍帯を保管するためのものであり、赤ちゃんの顔を立体的に形象化したものではなくて、赤ちゃんと一体化されず、親近感が低下して、赤ちゃんの誕生記念品としての価値も低下する問題がある。
【先行技術文献】
【特許文献】
【００１０】
【特許文献１】韓国登録実用新案第２０−０３８９１０６号公報
【特許文献２】韓国公開実用新案第２０−２０１２−０００３２７２号公報
【特許文献３】韓国公開実用新案第２０−２０１３−０００５３４６号公報
【考案の概要】
【考案が解決しようとする課題】
【００１１】
本考案は、上述した問題を解決するために考案されたものであり、人形の顔を実際の赤ちゃんの顔の様子と同一または類似するように、３Ｄプリンタで製作して、臍帯を入れた容器を人形の内部に保管しながら、お母さんと赤ちゃんを１０ヶ月間一つに繋いだ大切な臍帯を安全に保管することができ、赤ちゃんの誕生記念品として、長い間展示し大事にすることができる臍帯保管人形及びそのセットを提供することに、その目的がある。
【課題を解決するための手段】
【００１２】
前記課題を解決するために、本考案は、頭部と、胴部と、下半身部及び保管容器からなり、頭部と胴部、前記胴部と下半身部が相互着脱可能に連結された臍帯保管人形であって、前記保管容器は、内部に臍帯を収容した後、上部を蓋で塞いで保管するものであり、前記頭部は、実際の赤ちゃんの顔の様子と同一または類似するように、３Ｄプリンタで製作され、前記胴部は、上部空間が形成され、前記下半身部は、下部空間が形成されて、前記保管容器が前記上部空間と下部空間にわたって収容され、前記胴部と下半身部は、磁力によって着脱可能に連結されていることを特徴とする臍帯保管人形を提供する。
【００１３】
この時、前記胴部は、両腕が胸に付着した状態で構成されることにも、その特徴がある。
【００１４】
さらに、前記下半身部は、上部に上部磁石が形成され、前記胴部は、下部に磁性体が形成されて、前記上部磁石と付着されることにも、その特徴がある。
【００１５】
加えて、前記下半身部は、両足を曲げた状態で前方に向かって伸びたまま、座っている姿勢で構成され、下部に下部磁石が形成されることにも、その特徴がある。
【００１６】
そして、前記胴部には、赤ちゃんの名前、誕生の情報、体の情報から選ばれるいずれか一つ以上が記載された名札が付いていることにも、その特徴がある。
【００１７】
また、本考案は、頭部と、胴部と、下半身部及び保管容器からなり、頭部と胴部、そして前記胴部と下半身部が相互着脱可能に連結され、前記保管容器は、内部に臍帯を収容した後、上部を蓋で塞いで保管するものであり、前記頭部は、実際の赤ちゃんの顔の様子と同一または類似するように、３Ｄプリンタで製作され、前記胴部は、上部空間が形成され、前記下半身部は、下部空間が形成されて、前記保管容器が前記上部空間と下部空間にわたって収容され、前記胴部と下半身部は、磁力によって着脱可能に連結される臍帯保管人形と、前記臍帯保管人形が安着されるベースプレートと、及び前記ベースプレートの上部を覆って、前記臍帯保管人形が内部に収容されるようにするカバーとが含まれる臍帯保管人形セットを提供する。
【００１８】
ここで、前記支持板は、縁にリング状の溝が形成され、前記カバーの下端部が、前記溝に着脱可能に連結され、前記臍帯保管人形と前記支持板は、磁力によって着脱可能に連結されていることにも、その特徴がある。
【００１９】
また、前記臍帯保管人形は、帽子や服を着せたことにも、その特徴がある。
【考案の効果】
【００２０】
本考案によると、人形の顔を実際の赤ちゃんの顔の様子と同一または類似するように、３Ｄプリンタで製作して、臍帯を入れた容器を人形の内部に保管しながら、お母さんと赤ちゃんを１０ヶ月間一つに繋いだ大切な臍帯を安全に保管することができ、赤ちゃんの誕生記念品として、長い間展示し大事にすることができる効果がある。
【図面の簡単な説明】
【００２１】
【図１】本考案の実施例に係る臍帯保管人形の結合斜視図である。
【図２】本考案の実施例に係る臍帯保管人形の分離斜視図である。
【図３ａ】本考案の実施例に係る臍帯保管人形の背面図である。
【図３ｂ】本考案の実施例に係る臍帯保管人形の底面図である。
【図４】本考案の実施例に係る臍帯と二液型透明なシリコン液を入れて硬化させた保管容器の写真である。
【図５】本考案の実施例に係る臍帯保管人形セットの結合斜視図である。
【考案を実施するための形態】
【００２２】
以下、図面を参照して、本考案による臍帯保管人形及びそのセットを実施するための具体的な内容に関して、実施例を中心として、詳細に説明する。
【００２３】
図１及び図２を参照すると、本考案に係る臍帯保管人形１は、臍帯入れた容器を、人形の内部に保管して、臍帯を安全に保管することができ、赤ちゃんの誕生記念品として大事にすることができ、頭部１０と、胴部２０と、下半身部３０及び保管容器４０とを含んで形成される。
【００２４】
前記頭部１０は、臍帯保管人形１の頭を形成し、実際の赤ちゃんの顔の様子と同一または類似するように、３Ｄプリンタで製作し、下部に連結突起１１を備えて、前記胴部２０の連結溝２３に着脱可能に連結される。
【００２５】
このため、両親から提供された赤ちゃんの写真などの画像をもとに、３Ｄモデリング処理した後、３Ｄプリンタで印刷し、印刷物に対する処理、及び後加工の作業をしてから、塗装作業をして、電気窯で焼いて作る。
【００２６】
加えて、赤ちゃんが成長しながら、顔の様子がだんだん変化するので、変化した赤ちゃんの顔の様子を持つ頭部を製作して、既存に製作された頭部と替えて連結して使用することもできる。
【００２７】
前記胴部２０は、赤ちゃんの上体を形成するもので、両腕を含み、両腕は、胸に付着された状態で表現されることは、赤ちゃんの姿と類似し、損傷の可能性が少ないことが好ましく、内部に保管容器４０の上部が収容される上部空間２１が形成され、下端部の縁には、下端溝２２が形成され、前記下端溝２２には、磁性体２２ａが挿入されて設置される。
【００２８】
加えて、図３ａに示すように、前記胴部２０の全面または背面には、名札２４が付着されるが、前記名札２４は、金属板に生まれた赤ちゃんの名前（韓国語または英語）と、誕生の情報（誕生日時）と、体の情報（性別、体重、血液型など）とを刻印させて、高級に製作される。
【００２９】
前記下半身部３０は、赤ちゃんの下半身を形成するもので、両足を含み、両足は座った状態で表現されることが、安定的な据置きのためには好ましく、内部に保管容器４０の下部が収容される下部空間３１が形成され、上端部の縁には上部磁石３２が、上側に向かって突出されるように設置されて、前記本体部２０の下端溝２２に挿入された後、前記磁性体２２ａと着脱可能に連結されるように備えられることによって、前記上部空間２１と下部空間３１に渡って収容された保管容器４０を簡単に収容して、保管したり、引き出したりすることができる。
【００３０】
加えて、図３ｂに示すように、前記下半身部３０は、下端部の縁に下部磁石３３が形成されて、金属のような磁性体に簡単に付着されることができる。
【００３１】
図４を参照すると、前記保管容器４０は、内部に臍帯Ｔを収容した後、上部を蓋４１で塞いで保管するもので、前記胴部２０と下半身部３０が、磁力によって簡単に着脱可能なので、前記胴部２０と下半身部３０を分離させてから、前記上部空間２１と下部空間３１に渡って収容される。
【００３２】
この時、臍帯の特有のにおいを除去し、外部の空気との接触を遮断して、臍帯が変形されることなく、長期間、安全に保管するために、まずは、臍帯をアルコールの中に入れて、浸漬させて数日以上保管した後、取り出して保管容器４０の内部に入れた後、保管容器４０に二液型の透明なシリコン液を添加して一定時間硬化されると、図４のような透明な状態で保管しようとする臍帯Ｔが入れられる保管容器４０が用意されることである。
【００３３】
このように、実際の赤ちゃんの顔の様子と同一または類似するように、３Ｄプリンタで製作して、臍帯Ｔを入れた保管容器４０を、内部に保管しながら、お母さんと赤ちゃんを１０ヶ月間一つに繋いだ大切な臍帯Ｔを、安全に保管することができ、赤ちゃんの誕生記念品として、長い間展示し大事にすることができる効果がある。
【００３４】
また、図５を参照すると、本考案に係る臍帯保管人形セットは、上述した臍帯保管人形１を備え、前記臍帯保管人形１が安着される支持板２と、「∩」の形になって、前記支持板２の上部を覆って、前記臍帯保管人形１が内部に収容されるようにするプラスチックまたはガラスからなる透明なカバー３とを含むセットから構成されることもできる。
【００３５】
ここで、前記支持板２は、縁に輪状の溝２ａが形成され、前記カバー３の下端部が、前記溝２ａに着脱可能に連結され、前記臍帯保管人形１と前記支持板２は、上部に磁性体（図示せず）が設置されて、前記下半身部３０の下部磁石３３と、磁力によって着脱可能に連結される。
【００３６】
加えて、本考案による臍帯保管人形セットは、前記臍帯保管人形１が帽子や服、新生児の下着などが着せた状態で展示されて、家族に更に親近感を与えることができ、金属板に生まれた赤ちゃんの名前（韓国語または英語）と、誕生の情報（誕生日時）と、体の情報（性別、体重、血液型など）とを刻印させて、高級に製作された名札が、人形１の前に置かれることができる。
【００３７】
本考案による臍帯保管人形及びそのセットは、人形の顔を実際の赤ちゃんの顔の様子と同一または類似するように、３Ｄプリンタで製作して、臍帯を入れた容器を人形の内部に保管しながら、お母さんと赤ちゃんを１０ヶ月間一つに繋いだ大切な臍帯を安全に保管することができ、赤ちゃんの誕生記念品として、長い間展示し大事にすることができるものである。
【符号の説明】
【００３８】
１  臍帯保管人形           １０  頭部
１１  連結突起             ２０  胴部
２１  上部空間             ２２  下端溝         ２２ａ  磁性体
２３  連結溝               ２４  名札
３０  下半身部             ３１  下部空間
３２  上部磁石             ３３  下部磁石
４０  保管容器             ４１  蓋
２  支持板                 ２ａ  溝
３  カバー                 Ｔ  臍帯
【図１】
0003208738.tif 000003
【図２】
0003208738.tif 000004
【図３ａ】
0003208738.tif 000005
【図３ｂ】
0003208738.tif 000006
【図４】
0003208738.tif 000007
【図５】
0003208738.tif 000008